(57)【要約】【課題】装置設置スペースを有効に活用することを可能とし、この結果、コンパクトに構成したり、あるいは高機能化を図ったりすることが可能な貯湯装置を提供する。【解決手段】床部２２、側部２３、天井部２４を有するケーシング２０内に貯湯タンク１、２を収納してなる貯湯装置である。床部２２を、所定高さの脚部２１に支持された高床部３１と、高床部３１よりも低い位置に配置されると共に高床部３１に隣接配置された低床部３２とで構成する。高床部３１に第１貯湯タンク１を配置すると共に、低床部３２には、それよりも高さの高く容量の大きい第２貯湯タンク２を配置し、高床部３１の下側部分を貯湯タンク１、２の配管スペースとした。【選択図】図１
2008292051.tif 000002
【特許請求の範囲】
【請求項１】
床部（２２）、側部（２３）、天井部（２４）を有するケーシング（２０）内に熱源機器（Ｈ）と貯湯タンク（１）とを収納してなる貯湯装置において、床部（２２）を、所定高さの脚部（２１）に支持された高床部（３１）と、高床部（３１）よりも低い位置に配置されると共に高床部（３１）に隣接配置された低床部（３２）とで構成し、高床部（３１）に熱源機器（Ｈ）を配置すると共に、低床部（３２）に貯湯タンク（１）を配置し、高床部（３１）の下側部分を貯湯タンク（１）の配管スペースとしたことを特徴とする貯湯装置。
【請求項２】
上記低床部（３２）の貯湯タンク（１）の上側部分を機器設置スペース（Ｓ）としていることを特徴とする請求項１の貯湯装置。
【請求項３】
床部（２２）、側部（２３）、天井部（２４）を有するケーシング（２０）内に貯湯タンク（１）（２）を収納してなる貯湯装置において、床部（２２）を、所定高さの脚部（２１）に支持された高床部（３１）と、高床部（３１）よりも低い位置に配置されると共に高床部（３１）に隣接配置された低床部（３２）とで構成し、高床部（３１）と低床部（３２）とにそれぞれ貯湯タンク（１）（２）を配置し、低床部（３２）の貯湯タンク（２）の上側部分を機器設置スペース（Ｓ）とし、また、高床部（３１）の下側部分を貯湯タンク（１）（２）の配管スペースとしたことを特徴とする貯湯装置。
【請求項４】
床部（２２）、側部（２３）、天井部（２４）を有するケーシング（２０）内に貯湯タンク（１）（２）を収納してなる貯湯装置において、床部（２２）を、所定高さの脚部（２１）に支持された高床部（３１）と、高床部（３１）よりも低い位置に配置されると共に高床部（３１）に隣接配置された低床部（３２）とで構成し、高床部（３１）に第１貯湯タンク（１）を配置すると共に、低床部（３２）には、それよりも高さの高く容量の大きい第２貯湯タンク（２）を配置し、高床部（３１）の下側部分を貯湯タンク（１）（２）の配管スペースとしたことを特徴とする貯湯装置。
【発明の詳細な説明】
【技術分野】
【０００１】
この発明は貯湯装置に関するもので、特に、ケーシング内における貯湯タンクの配置態様を改善した貯湯装置に係るものである。
【背景技術】
【０００２】
ヒートポンプ熱源を利用した貯湯装置の簡略図を図７に示している。この貯湯装置は、２連式の貯湯タンク１、２と、この貯湯タンク１、２に連結される循環路３と、この循環路３に介設される熱交換路４とを備え、この熱交換路４をヒートポンプ加熱源にて加熱して、上記貯湯タンク１、から循環路４に流出した低温水を沸き上げてこの貯湯タンク１、２に返流する運転が可能である。そして、この貯湯タンク１、２に貯湯された温湯が図示省略の浴槽等に供給される。
【０００３】
この場合、貯湯タンク１、２は、第２貯湯タンク２の底部を第１貯湯タンク１の頂部に接続した直列接続構造が採用されている。そして、第１貯湯タンク１には、その底壁に給水口５が設けられている。また、第２貯湯タンクの頂部に出湯口６が設けられている。そして、給水口５から第１貯湯タンク１に水道水が供給され、第２貯湯タンクの出湯口６から高温の温湯が出湯される。また、第１貯湯タンク１には、その底壁に取水口７が開設されている。また、第２貯湯タンク２の頂部に湯入口８が開設され、取水口７と湯入口８とが上記循環路３にて連結されている。そして、この循環路４に水循環用ポンプ９と熱交換路４とが介設されている。なお、この図例では、第１及び第２貯湯タンク１、２と水循環ポンプ９とでタンクユニットＴを構成している。
【０００４】
そして、ヒートポンプ加熱源Ｈは冷媒回路を備え、この冷媒回路は、圧縮機１０と、熱交換路４を構成する水熱交換器１１と、電動膨張弁（減圧機構）１２と、空気熱交換器（蒸発器）１３とを順に接続して構成される。これにより、圧縮機１０が駆動すると、水熱交換器１１において熱交換路４を流れる水が加熱され、上記両貯湯タンク１、２に貯湯されることになる。
【０００５】
図５には、上記のような貯湯装置におけるタンクユニットＴの内部構造の概略図を示している。これは、タンクユニットＴとヒートポンプ加熱源Ｈとを別々のケーシング内に収納し、両者を連絡配管で接続した構造のものである。図のように、ケーシング２０内に第１及び第２貯湯タンク１、２が並設されている。また、図６には、上記ヒートポンプ加熱源Ｈと単一の貯湯タンク１を単一のケーシング２０内に収納した構造を有する貯湯装置の内部構造の概略図を示している。このような貯湯装置の従来例としては、例えば、特許文献１、特許文献２を挙げることができる。
【特許文献１】特開２００５−３３７６７２号公報
【特許文献２】特開２００６−３４９２３５号公報
【発明の開示】
【発明が解決しようとする課題】
【０００６】
ところで上記従来の貯湯装置の収納構造では、ケーシング２０は脚部２１を有し、設置面とケーシング２０の床部２２との間に所定の間隔が確保されるようになっている。これは、上記貯湯タンク１、２の底部側に接続される各配管用の配管スペースを確保するためである。すなわち、図７に示している貯湯装置においては、水道配管５ａや連絡配管３ａの配管スペースを確保する必要が生じるということである。
【０００７】
しかしながら上記従来のように、ケーシングの床部全体を所定高さに保持する構造では、装置全体が嵩高になってしまうという不都合がある。このことは設置スペースの制限される都心部において大きな問題となる。
【０００８】
この発明は上記した従来の欠点を解決するためになされたものであって、その目的は、装置設置スペースを有効に活用することを可能とし、この結果、コンパクトに構成したり、あるいは高機能化を図ったりすることが可能な貯湯装置を提供することにある。
【課題を解決するための手段】
【０００９】
そこで、請求項１の貯湯装置は、床部２２、側部２３、天井部２４を有するケーシング２０内に熱源機器Ｈと貯湯タンク１とを収納してなる貯湯装置において、床部２２を、所定高さの脚部２１に支持された高床部３１と、高床部３１よりも低い位置に配置されると共に高床部３１に隣接配置された低床部３２とで構成し、高床部３１に熱源機器Ｈを配置すると共に、低床部３２に貯湯タンク１を配置し、高床部３１の下側部分を貯湯タンク１の配管スペースとしたことを特徴とする。
【００１０】
請求項２の貯湯装置は、上記低床部３２の貯湯タンク１の上側部分を機器設置スペースＳとしていることを特徴とする。
【００１１】
請求項３の貯湯装置は、床部２２、側部２３、天井部２４を有するケーシング２０内に貯湯タンク１、２を収納してなる貯湯装置において、床部２２を、所定高さの脚部２１に支持された高床部３１と、高床部３１よりも低い位置に配置されると共に高床部３１に隣接配置された低床部３２とで構成し、高床部３１と低床部３２とにそれぞれ貯湯タンク１、２を配置し、低床部３２の貯湯タンク２の上側部分を機器設置スペースＳとし、また、高床部３１の下側部分を貯湯タンク１、２の配管スペースとしたことを特徴とする。
【００１２】
請求項４の貯湯装置は、床部２２、側部２３、天井部２４を有するケーシング２０内に貯湯タンク１、２を収納してなる貯湯装置において、床部２２を、所定高さの脚部２１に支持された高床部３１と、高床部３１よりも低い位置に配置されると共に高床部３１に隣接配置された低床部３２とで構成し、高床部３１に第１貯湯タンク１を配置すると共に、低床部３２には、それよりも高さの高く容量の大きい第２貯湯タンク２を配置し、高床部３１の下側部分を貯湯タンク１、２の配管スペースとしたことを特徴とする。
【発明の効果】
【００１３】
請求項１の貯湯装置においては、貯湯タンクの設置高さが低くなるので、それに応じてケーシングの高さを低くでき、ケーシングをコンパクトに構成可能となる。
【００１４】
また、請求項２、３の貯湯装置においては、低床部の貯湯タンクの上側部分を機器設置スペースとして有効に利用しているので、それに応じてケーシングをコンパクトに構成可能となる。
【００１５】
請求項４の貯湯装置においては、ケーシング寸法を従来と同様にしても、貯湯タンクの容量を増加できるので、高機能化を図ることができる。
【発明を実施するための最良の形態】
【００１６】
次にこの発明の貯湯装置の具体的な実施の形態について、図面を参照しつつ詳細に説明する。まず、図１に第１の実施の形態を示している。図１は、直列又は並列に接続された２連式のタンクユニットＴであって、第１貯湯タンク１と第２貯湯タンク２とを有している。ケーシング２０は、床部２２、側部２３、天井部２４を有するものである。また、ケーシング２０の前面側には、制御用機器を収納した制御ボックス２５、２６が配置されている。床部２２は、図のように、所定高さの脚部２１に支持された高床部３１と、高床部３１よりも低い位置に配置されると共に高床部３１に隣接配置された低床部３２とで構成されている。この場合、低床部３２は脚部を有さず、設置面に直接載置されている。そして、高床部３１に第1貯湯タンク１が、また、低床部３２に第２貯湯タンク２が設置されている。この場合、第２貯湯タンク２としては、床部を低くした分だけ第１貯湯タンク１よりも長尺で容量の大きいものを使用している。なお、天井部２４の高さは従来のケーシング２０と同一である。このタンクユニットＴにおいては、高床部３１の下部において、設置面と高床部３１との間のスペースをタンクの配管スペースとしている。
【００１７】
上記貯湯装置によれば、ケーシング２０の寸法を従来と同様にしても、第２貯湯タンク２の容量を増加できるので、それに応じて貯湯量を増加でき、高機能化を図ることができる。
【００１８】
図２には、第２に実施形態を示している。この実施形態においては、上記実施形態と全く同様に、床部２２を高床部３１と低床部３２とで構成している。そして、第２貯湯タンク２として、第１貯湯タンク１と同寸のものを用い、床部を低くした分だけ、第２貯湯タンク２の上側部分にスペースＳを形成し、このスペースＳを機器設置スペースＳとしている。なお他の部分は、第１実施形態のものと略同様であるため、同一部分に同一の符号を付してその説明を省略するが、この実施形態においても、高床部３１の下側部分は、貯湯タンク１、２の配管スペースとしている。この実施形態によれば、第２貯湯タンク２の上側部分に機器設置スペースＳを確保しているので、このスペースＳ内に制御用機器を配置して制御ボックス２５、２６を小形化するなどして、タンクユニットＴを全体としてコンパクト化することが可能となる。
【００１９】
図３には、第３の実施形態を示している。この貯湯装置は、ヒートポンプ加熱源Ｈと単一の貯湯タンク１を単一のケーシング２０内に収納した構造を有するものである。この場合には、床部２２を高床部３１と低床部３２とで構成し、高床部３１にヒートポンプ加熱源Ｈを配置し、低床部３２に貯湯タンク１を配置している。なお他の部分は、第１実施形態のものと略同様であるため、同一部分に同一の符号を付してその説明を省略するが、この実施形態においても、高床部３１の下側部分は、貯湯タンク１の配管スペースとしている。。この実施形態においては、貯湯タンク１の設置高さが低くなるので、それに応じてケーシング２０の高さを低くでき、ケーシング２０をコンパクトに構成可能となる。
【００２０】
図４には、第４の実施形態を示している。この貯湯装置は、上記第３実施形態と同様に、ヒートポンプ加熱源Ｈと単一の貯湯タンク１を単一のケーシング２０内に収納した構造を有するものである。この場合には、床部２２を高床部３１と低床部３２とで構成し、高床部３１にヒートポンプ加熱源Ｈを配置し、低床部３２に貯湯タンク１を配置している。そして、貯湯タンク１の上側部分にスペースＳを形成し、このスペースＳを機器設置スペースＳとしている。なお他の部分は、第１実施形態のものと略同様であるため、同一部分に同一の符号を付してその説明を省略するが、この実施形態においても、高床部３１の下側部分は、貯湯タンク１の配管スペースとしている。この実施形態によれば、貯湯タンク１の上側部分に機器設置スペースＳを確保しているので、このスペースＳ内に制御用機器を配置するなどして、貯湯装置を全体としてコンパクト化することが可能となる。
【００２１】
なお、上記各実施形態は、熱源機器としてヒートポンプ加熱源Ｈを使用することを前提にしているが、熱源機器として他の手段を用いることも可能である。また、貯湯タンク１、２の使用本数も必要に応じて任意に変更可能である。
【図面の簡単な説明】
【００２２】
【図１】この発明の貯湯装置の第１実施形態におけるケーシング内部構造を示す簡略断面図である。
【図２】この発明の貯湯装置の第２実施形態におけるケーシング内部構造を示す簡略断面図である。
【図３】この発明の貯湯装置の第３実施形態におけるケーシング内部構造を示す簡略断面図である。
【図４】この発明の貯湯装置の第４実施形態におけるケーシング内部構造を示す簡略断面図である。
【図５】従来の貯湯装置のケーシング内部構造を示す簡略断面図である。
【図６】従来の貯湯装置の他のケーシング内部構造を示す簡略断面図である。
【図７】貯湯装置における水循環回路と冷媒回路とを示す回路図である。
【符号の説明】
【００２３】
１、２・・貯湯タンク、２０・・ケーシング、２１・・脚部、２２・・床部、２３・・側部、２４・・天井部、３１・・高床部、３２・・低床部、Ｈ・・ヒートポンプ加熱源、Ｓ・・機器設置スペース
【図１】
2008292051.tif 000003
【図２】
2008292051.tif 000004
【図３】
2008292051.tif 000005
【図４】
2008292051.tif 000006
【図５】
2008292051.tif 000007
【図６】
2008292051.tif 000008
【図７】
2008292051.tif 000009